(57)【要約】【課題】  従来のオフライン自動角丸打ち抜き装置では、刃物自体のたわみによる形状不良を解消できず、また検査機能を有していないため、４辺の角部断裁後に作業員が目視で検査する必要があり作業負荷が低減することができない。そこで、包装袋束角部断裁後にバリや形状不良が発生しない装置が求められていた。【解決手段】  複数枚に重ねられた製袋品からなる製袋品束の角部を断裁する装置であって、刃物先端部背面に刃物先端部背面形状と同形状を有する刃物受け台が設置されていることを特徴とする角部断裁装置を提供する。刃物の形状は角丸で直線状でもよい。また、製袋品束の保持機構を伴っていたり、製袋品束の保持機構に刃物の形状に相当する形状のダイを有するものでもよい。【選択図】  図１
2017001134.tif 000002
【特許請求の範囲】
【請求項１】
複数枚に重ねられた製袋品からなる製袋品束の角部を断裁する装置であって、刃物先端部背面に刃物先端部背面形状と同形状を有する刃物受け台が設置されていることを特徴とする角部断裁装置。
【請求項２】
刃物の形状が角丸であることを特徴とする請求項１記載の角部断裁装置。
【請求項３】
刃物の形状が直線状であることを特徴とする請求項１記載の角部断裁装置。
【請求項４】
前記製袋品束の保持機構を伴っていることを特徴とする請求項１から３何れか記載の角部断裁装置。
【請求項５】
前記製袋品束の保持機構に刃物の形状に相当する形状のダイを有することを特徴とする請求項４記載の角部断裁装置。
【発明の詳細な説明】
【技術分野】
【０００１】
本発明は、複数枚に重ねられた製袋品束の例えば４ヵ所の角部をＲ形状または例えば４５度といった角度を付けた直線で切り落とし面取りを形成する角部断裁装置に関する。
【背景技術】
【０００２】
製袋品は一般的に製袋機で連続的に生産され、その多くは熱シールにより袋状に成型され、製袋機最終工程で製袋品が個別の包装袋に断裁され排出される。これらの断裁されて排出される包装袋は製袋機のインライン工程で製袋品が面取りを施されて製造されるものと、製袋品排出後複数枚に重ねられた製袋品束としてオフライン工程にて面取りされ包装袋となる場合がある。
【０００３】
本発明に関わる技術は、主に前記のオフライン工程に製袋品の面取りに用いられる角部断裁装置であるが、インライン工程による面取りについては本発明を応用適応可能な場合も含むものとする。
【０００４】
オフライン工程における製袋品の面取りに用いられる角部断裁装置は例えば角丸処理であれば角丸抜き装置と呼ばれ、その処理形状によって名称が異なる。
【０００５】
製袋品を適度な枚数に揃えて機械にセットし、揃えられた角部の１ヵ所または２ヵ所を指定の形状（Ｒ形状または直線形状）にあわせた刃物で断裁している。
【０００６】
オフライン工程における製袋品の面取り作業は、製袋機から一枚一枚に排出される製袋品を作業員が所定の枚数毎に束にし、角丸抜き装置で面取りを実施し、切断面にバリなどの不良が無いかを検査し、指定梱包形態に梱包する。
【０００７】
製袋品束の下部を断裁するに従い、製袋品束からの反力によって刃物先端にたわみが発生する。刃物先端にたわみが発生すると、せん断力が製袋品束に伝わらず切れが悪化し製袋品の切断面にバリや切断面の形状不良が発生する。この切断面のバリや切断面の形状不良は特に製袋品を断裁した包装袋束の下部で顕著に発生する。
【０００８】
上記の切断面に不良が発生した場合、包装袋束から当該不良品と取り除き、予備として準備している包装袋を不良品分と交換する必要があり、作業員の作業負荷が増大する。
【０００９】
これらの包装袋角部の断裁面不良の対策としてこれまでも検討されている。特許文献１に記載されているオフライン自動角丸打ち抜き装置では、切断面の形状不良を発生させないために製袋品束の自動揃え機能を有しているが、この機能を有していても刃物自体のたわみによる形状不良を解消できず、また検査機能を有していないため、４辺の角部断裁後に作業員が目視で検査する必要があり、作業負荷が低減することができない。
【先行技術文献】
【特許文献】
【００１０】
【特許文献１】特開２００１−２２５８１５
【発明の概要】
【発明が解決しようとする課題】
【００１１】
本発明はこのような課題を鑑みてなされたものであり、オフライン角丸抜き装置において製袋品束角部断裁後にバリや形状不良が発生しない装置を提供する。
【課題を解決するための手段】
【００１２】
上記課題を解決するための手段として、請求項１記載の発明は、複数枚に重ねられた製袋品からなる製袋品束の角部を断裁する装置であって、刃物先端部背面に刃物先端部背面形状と同形状を有する刃物受け台が設置されていることを特徴とする角部断裁装置を提供するものである。
【００１３】
また、請求項２記載の発明は、刃物の形状が角丸であることを特徴とする請求項１記載の角部断裁装置を提供するものである。
【００１４】
また、請求項３記載の発明は、刃物の形状が直線状であることを特徴とする請求項１記載の角部断裁装置を提供するものである。
【００１５】
また、請求項４記載の発明は、前記製袋品束の保持機構を伴っていることを特徴とする請求項１から３何れか記載の角部断裁装置を提供するものである。
【００１６】
また、請求項５記載の発明は、前記製袋品束の保持機構に刃物の形状に相当する形状のダイを有することを特徴とする請求項４記載の角部断裁装置を提供するものである。
【発明の効果】
【００１７】
本発明では、上記構成とすることで、オフライン角丸抜き装置において製袋品束角部断裁後にバリや形状不良が発生せずに製袋品の面取りをすることが可能となる。
【図面の簡単な説明】
【００１８】
【図１】本発明の断裁部を示す概略斜視図である。
【図２】断裁時に刃物にかかる応力説明図である
【図３】刃物受け部の断面図（図１中のＡ−Ａ’部断面図）である。
【発明を実施するための形態】
【００１９】
以下、本発明を実施するための角部断裁装置が角丸打ち抜き装置である一実施形態を図面を用いて説明する。
【００２０】
図１は、本発明の角丸打ち抜き装置の一部分を示す概略斜視図であり、理解しやすい様一部は誇大に表現している。所定枚数に重ねられた製袋品束１をある程度整列させ、ステージ２に設置する。設置後、揃え板３は図示せぬがアクチュエータにより製袋品束１の側面部を押し整列させる。
【００２１】
揃え板３により揃えられた製袋品束１は断裁角近傍を上面から図示せぬがアクチュエータで固定され、刃物４により断裁される。
【００２２】
刃物４は刃物取付ブロック５を介して断裁する推力となるアクチュエータ６に取り付けられている。なお、アクチュエータ６については図中ではエアシリンダを用いているがモーター等の動力系を用いてもかまわない。
【００２３】
次に図２を用いて断裁時に刃物にかかる応力について説明する。刃物４は矢印ａが刃になっており、断裁時には矢印ａ部に応力が集中する。矢印ａ部にかかる応力は刃物４先端部を図中矢印ｂ方向にたわみを発生させる。矢印ａ部にかかる応力は製袋品束を断裁するにしたがって強くなるため製袋品束下部においてよりたわみが発生する。
【００２４】
上記の刃物先端のたわみによって、刃物４とダイ８間のクリアランスが広がり製袋品束
断裁面にバリや形状不良が発生する。
【００２５】
本発明では、刃物先端のたわみを防ぐために刃物受け台７が設置してある。刃物受け台７は、刃物４先端部の背面形状と同じ形状をもっており刃物４先端部を支持する（図３参照）。上記の通り刃物４先端部背面を刃物受け台７で支持することで、断裁中に発生する刃物４先端部のたわみを防ぐことが可能となる。
【００２６】
すなわち、断裁前には図１に示す様に刃物受け台７は刃物４の背面に上方で待機している。そして、製袋品束１に向かって刃物４が刃物受け台７で背面から支持されている状態のまま、刃物受け台７は刃物４が下降するのといっしょに降下し、刃物４が製袋品束１に接触する寸前までその状態が続く。
【００２７】
さらに刃物４が降下して刃物４が製袋品束１を断裁していくのだが、刃物受け台７は刃物４といっしょに製袋品束１を断裁しながら下降し、製袋品束１を完全に断裁しダイ８の高さまで降下して断裁作業を終える。
【００２８】
なお、刃物受け台７からの刃物４の刃先の突出量については、刃先の形状によりその長さが変わるのは当然である。
【００２９】
例えば、図２のような形状の刃物４の場合、刃先の湾曲した形状の矢印ａの部分に応じた高さ分よりも高い位置で刃物４を刃物受け台７が受ける様に、刃物受け台７からの刃物４の刃先の突出量を調節する。
【００３０】
これは、刃物４の刃先の湾曲部分に刃物受け台７の受け矢印ａの部分に刃物受け台７の位置が重なると、断裁カスがうまく仕分けられないといった不具合が生じる場合があるからである。
【００３１】
もちろん、刃物４の刃先の先端と同じ高さまで刃物受け台７が位置させることは、断裁に支障が生じるためにできない。
【００３２】
また、刃物４の上下機構とは独立して刃物受け台７の上下機構を設ける必要があり、しかも、断裁直前まで連動できる様な制御が可能な上下機構である必要がある。
【００３３】
なお、角部の断裁形状によって刃物は直線状等各種形状のものに交換可能である。この場合、刃物受け台とダイについても刃物の形状に合わせて交換するのが一般的であるが、刃物の形状によっては交換不要な場合もある。
【００３４】
刃物受け台は、刃物先端部背面形状と同形状であることが必要であるが、先端がたわむのを防止できる形状であれば先端部だけでなく刃物の背面全体で受ける形状であっても構わない。また、先端部は厳密に先端と同形状である必要は無く、たわむのを防止できる範囲内で先端から若干根元位置で終わらせたり、左右で幅広、幅狭であっても構わない。また、先端より根元方向への厚みも、刃物受け台自身の強度を維持できる厚みであれば構わない。
【００３５】
また、製袋品束の保持機構は、種々の形状や仕組みのものが用いられるが、刃物の断裁加工において加工に不利な移動や変形がしにくいものが好ましい。一般的には本実施形態の様に製袋品の辺を規制する枠を設けるのが一般的であるが、極めて薄い材質等の変形しやすい場合は、押さえ機構などを付加することができる。
【００３６】
また、刃物取り付けブロックなどと相対移動できず固定配置になるものが好ましいが、
四つの角を順次断裁する場合は、回転や平行移動できる移動手段を伴っても構わない。
【００３７】
上記構成とすることで、本発明による角丸打ち抜き装置は、製袋品束の角部をバリや形状不良を発生させることなく断裁し生産性や品質の向上に有効となる。
【符号の説明】
【００３８】
１  ・・・  製袋品束
２  ・・・  ステージ
３  ・・・  揃え板
４  ・・・  刃物
５  ・・・  刃物取付ブロック
６  ・・・  アクチュエータ
７  ・・・  刃物受け台
８  ・・・  ダイ
【図１】
2017001134.tif 000003
【図２】
2017001134.tif 000004
【図３】
2017001134.tif 000005